(57)【要約】【課題】厚さの薄い建具においても意匠性や高級感を高めることができる建具を提供する。【解決手段】建具１００は、戸、ドア、襖または扉で構成されており、表裏となる壁面に貫通孔状の装飾部１１１が形成されている。装飾部１１１内には、額縁１１２を介して装飾布１２０が保持されている。装飾布１２０は、着物Ｋを構成する布地である着物地で構成されており、支持体１２１の両面にそれぞれ貼り付けられている。装飾布１２０が貼り付けられた支持体１２１は、ガラス板からなる２つのカバー体１２２で挟まれた状態で外縁部が額縁１１２によって保持されている。額縁１１２は、内縁部が支持体１２１を挟んで保持するとともに外縁部が装飾部１１１の縁部を構成する仕上げ材１０７を挟んで支持部１１１内に取り付けられている。【選択図】  図１
2017078312.tif 000002
【特許請求の範囲】
【請求項１】
部屋の内外を開閉自在に仕切る建具において、
前記建具の壁面に貫通または凹状に形成された装飾部と、
前記建具を装飾するための布地で構成されて前記装飾部の内側に配置される装飾布と、
前記装飾部の開口部側で前記装飾布を覆う透明な板状体からなるカバー体とを備えることを特徴とする建具。
【請求項２】
請求項１に記載した建具において、
前記装飾部は、
前記建具の壁面を貫通する貫通孔で構成されており、
前記カバー体は、
前記装飾布を挟む２枚の透明な板状体で構成されていることを特徴とする建具。
【請求項３】
請求項２に記載した建具において、
前記装飾布は、
互いに背中合わせに配置した２つの布地で構成されていることを特徴とする建具。
【請求項４】
請求項１ないし請求項３のうちのいずれか１つに記載した建具において、さらに、
前記装飾布は、
板状に形成された支持体に固定された状態で前記装飾部内に設けられていることを特徴とする建具。
【請求項５】
請求項１ないし請求項４のうちのいずれか１つに記載した建具において、
前記装飾布は、
着物地であることを特徴とする建具。
【請求項６】
請求項１ないし請求項５のうちのいずれか１つに記載した建具において、
前記装飾布は、
古着地であることを特徴とする建具。
【発明の詳細な説明】
【技術分野】
【０００１】
本発明は、部屋の内外を開閉自在に仕切る建具に関する。
【背景技術】
【０００２】
従来から、部屋の内外を開閉自在に仕切るために戸、ドア、襖、扉または障子からなる建具が用いられている。例えば、下記特許文献１には、襖（ふすま）の壁面の一部に方形の貫通孔からなる開口部を形成するとともに、この開口部内に障子紙を貼った組子（「組子障子」ともいう）を嵌め込んで意匠性を高めた所謂源氏襖が開示されている。
【先行技術文献】
【特許文献】
【０００３】
【特許文献１】実開昭６３−１７２８８号公報
【０００４】
しかしながら、上記特許文献１に記載された源氏襖においては、組子障子における組子の厚さが厚く組子障子を設けることができる建具が限定されるため、厚さの薄い建具においては意匠性や高級感を高めることが困難という問題がある。
【０００５】
本発明は上記問題に対処するためなされたもので、その目的は、厚さの薄い建具においても意匠性や高級感を高めることができる建具を提供することにある。
【発明の概要】
【０００６】
上記目的を達成するため、本発明の特徴は、部屋の内外を開閉自在に仕切る建具において、建具の壁面に貫通または凹状に形成された装飾部と、建具を装飾するための布地で構成されて装飾部の内側に配置される装飾布と、装飾部の開口部側で装飾布を覆う透明な板状体からなるカバー体とを備えることにある。
【０００７】
このように構成した本発明の特徴によれば、建具は、壁面に形成した貫通孔状または凹状の装飾部内に布地からなる装飾布を設けて構成されているため、厚さの薄い建具においても意匠性や高級感を高めることができる。なお、建具には、室内同士または室内と屋外とを仕切る戸、ドア、襖、扉または障子がある。また、カバー体は、透明または半透明のガラス製の板や樹脂製（例えば、アクリルやポリカーボネートなど）の板を用いることができる。
【０００８】
また、本発明の他の特徴は、前記建具において、装飾部は、建具の壁面を貫通する貫通孔で構成されており、カバー体は、装飾布を挟む２枚の透明な板状体で構成されていることにある。
【０００９】
このように構成した本発明の他の特徴によれば、建具は、貫通孔に形成された装飾部に装飾布が２枚のカバー体で挟まれて設けられているため、建具の両面に対して装飾を行うことができるとともに、建具の一方の面側から他方の面側に光を通すことで装飾布の装飾性を高めることができ、建具に採光機能を有しつつ意匠性や高級感を高めることができる。
【００１０】
また、本発明の他の特徴は、前記建具において、装飾布は、互いに背中合わせに配置した２つの布地で構成されていることにある。この場合、２つの装飾布は、互いに同一の生地や柄の布地で構成されていてもよいし、互いに異なる生地や柄の布地で構成されていてもよい。
【００１１】
このように構成した本発明の他の特徴によれば、建具は、装飾布が互いに背中合わせに配置した２つの布地で構成されているため、建具の両面に対して装飾を行うことができる。
【００１２】
また、本発明の他の特徴は、前記建具において、さらに、装飾布は、板状に形成された支持体に固定された状態で装飾部内に設けられていることにある。
【００１３】
このように構成した本発明の他の特徴によれば、建具は、装飾布が板状に形成された支持体に固定されているため、装飾布のシワ、ヨレまたは位置ズレを防止して精度良く装飾部内に設けることができるとともに長期間に亘って美観を維持することができる。
【００１４】
また、本発明の他の特徴は、前記建具において、装飾布は、着物地であることにある。
【００１５】
このように構成した本発明の他の特徴によれば、建具は、装飾布が着物地で構成されているため、より一層意匠性や高級感を高めることができる。ここで、着物地とは、振袖、留袖、訪問着、付け下げ、小紋などの和式の着物や浴衣を構成する織物（染物を含む）である。
【００１６】
また、本発明の他の特徴は、前記建具において、装飾布は、古着地であることにある。
【００１７】
このように構成した本発明の他の特徴によれば、建具は、装飾布が古着地で構成されているため、使用が困難となった愛着のある服や形見の服などを構成する布地を装飾布として用いることで古着を有効活用することができる。
【図面の簡単な説明】
【００１８】
【図１】本発明の一実施形態に係る建具の外観構成の概略を示す正面図である。
【図２】図１に示す２−２線から見た建具の内部構造を示す一部断面図である。
【図３】図１に示す建具を構成する骨組み、縦框、上桟、下桟、組子、引手アンコ、引手の分解斜視図である。
【図４】図１に示す建具の一部である額縁を構成する額縁半体の内側面を示す背面図である。
【図５】図１に示す建具内に組み込まれる装飾布を構成する着物（長着）の背面図である。
【図６】本発明の変形例に係る建具の外観構成の概略を示す正面図である。
【図７】図６に示す建具を上方から見た外観構成の概略を示す平面図である。
【図８】図６に示す８−８線から見た建具の内部構成の概略を示す断面図である。
【図９】（ａ）〜（ｄ）は、本発明の変形例に係る建具の４つの構成例をそれぞれ示す正面図である。
【図１０】（ａ），（ｂ）は、本発明の他の変形例に係る建具の２つの構成例をそれぞれ示す正面図である。
【発明を実施するための形態】
【００１９】
以下、本発明に係る建具の一実施形態について図面を参照しながら説明する。図１は、本発明に係る建具１００の外観構成の概略を示した正面図である。また、図２は、図１における２−２線から見た建具１００の部分断面図である。なお、本明細書において参照する図は、本発明の理解を容易にするために一部の構成要素を誇張して表わすなど模式的に表している。このため、各構成要素間の寸法や比率などは異なっていることがある。この建具１００は、住宅などの建物における部屋の内外を開閉自在に仕切る引戸である。
【００２０】
（建具１００の構成）
建具１００は、骨組み１０１を備えている。骨組み１０１は、図３に示すように、建具１００を形作る芯材であり、木質系材料からなる棒状の角材を方形の枠状に組んで構成されている。具体的には、骨組み１０１は、互いに上下方向に平行に延びる２つの縦框１０２ａ，１０２ｂの両端部が左右方向に延びる上桟１０３ａおよび下桟１０３ｂによって互いに連結されて長方形状の枠状に形成されるとともに、この枠状体の内部領域に組子１０４が設けられて構成されている。
【００２１】
組子１０４は、骨組み１０１を構成するとともに仕上げ材１０７を支持するための部品であり、上下左右方向にそれぞれ延びる棒状の中桟１０４ａ，１０４ｂが格子状（井桁状）に組まれて構成されている。この組子１０４の中央部には、後述する額縁１１２を嵌め込むための空間である装飾部１１１の一部が形成されている。また、組子１０４における前記装飾部１１１と縦框１０２ａとの間には、引手アンコ１０５が設けられている。引手アンコ１０５は、建具１００の引手１０６を取り付けるための板状の部品である。
【００２２】
なお、骨組み１０１および引手アンコ１０５を構成する木質系材料としては、杉や桧などの無垢材、これらの無垢材を積層して形成した合板または集成材、またはＭＤＦ（Medium density Fiberboard）、ＰＢ（Particle Board）、ＬＶＬ（Laminated Veneer Lumber）などがある。
【００２３】
仕上げ材１０７は、建具１００における互いに表裏となる２つの壁面をそれぞれ構成する板状の部品であり、前記木質系材料によって構成されている。仕上げ材１０７の中央部には、装飾部１１１の一部を構成する貫通孔が形成されている。また、仕上げ材１０７における前記引手アンコ１０５に対向する部分には引手１０６が貫通する貫通孔が形成されている。この仕上げ材１０７は、組子１０４の表裏となる両壁面にそれぞれ接着剤によって固定されている。
【００２４】
装飾部１１１は、額縁１１２を支持する部分であり、額縁１１２の外形に対応する形状に形成されている。本実施形態においては、装飾部１１１は、正面視で上下方向に延びる１つの長方形状に形成されている。この装飾部１１１は、骨組み１０１および２枚の仕上げ材１０７にそれぞれ形成された貫通孔の集合によって構成されている。
【００２５】
額縁１１２は、建具１００内で装飾布１２０、支持体１２１およびカバー体１２２をそれぞれ支持する部品であり、前記木質系材料によって枠状に形成されている。より具体的には、額縁１１２は、建具１００の一方の壁面および他方の壁面にそれぞれ露出して互いに嵌合し合う一対の額縁半体１１２ａ，１１２ｂによって構成されている。
【００２６】
額縁半体１１２ａ，１１２ｂは、互いに嵌合し合うことで装飾布１２０、支持体１２１およびカバー体１２２の各外縁部を挟んで保持する部品であり、互いに対称な枠状に形成されている。これらの額縁半体１１２ａ，１１２ｂにおける互いに対向する面には、図４に示すように、中間部１１３、外側挟持部１１４および内側挟持部１１５がそれぞれ形成されている。
【００２７】
中間部１１３は、額縁半体１１２ａ，１１２ｂが互いに突き合わせられる部分であり、外側挟持部１１４および内側挟持部１１５に対して凸状に突出するとともに帯状に延びて形成されている。この中間部１１３には、額縁半体１１２ａ側および額縁半体１１２ｂ側のうちの一方の中間部１１３に凸状のホゾ１１３ａが設けられるとともに他方の中間部１１３にホゾ１１３ａが嵌合するホゾ穴１１３ｂが設けられている。これらのホゾ１１３ａとホゾ穴１１３ｂとが互いに嵌合することにより額縁半体１１２ａと額縁半体１１２ｂとが一体化して１つの額縁１１２を形成する。
【００２８】
外側挟持部１１４は、仕上げ材１０７を介して骨組み１０１を挟む部分であり、中間部１１３の外側に中間部１１３とは段違いに張り出して形成されている。一方、外側挟持部１１４における外側面は、仕上げ材１０７の外表面に露出している。内側挟持部１１５は、カバー体１２２を介して装飾布１２０を挟む部分であり、中間部１１３の内側に中間部１１３とは段違いに張り出して形成されている。
【００２９】
装飾布１２０は、建具１００を装飾するための布地である。この装飾布１２０は、建具１００の使用者の好みに応じた生地および柄で構成することができる。本実施形態においては、装飾布１２０は、建具１００における一方の壁面に設けられる装飾布１２０が図５に示す留袖からなる着物Ｋの一部（長方形状の破線枠）を切り抜いた着物地で構成されるとともに、他方の壁面（図示せず）を装飾する装飾布１２０が図示しない着物Ｋの一部を切り抜いた着物地で構成されている。
【００３０】
支持体１２１は、装飾布１２０を支持するための板状の部品であり、前記木質系材料や樹脂材で構成されている。この支持体１２１における表裏となる２つの板面には、装飾布１２０がそれぞれ接着剤によって固定されている。この場合、装飾布１２０は、支持体１２１の板面に対して全面が接着固定されていてもよいし、縁部などの装飾布１２０の一部が接着固定されていてもよい。この支持体１２１の厚さは、特に限定されないが１ｍｍ〜５ｍｍが好適である。
【００３１】
カバー体１２２は、支持体１２１の両側に配置されて支持体１２１の両面に貼り付けられた装飾布１２０をそれぞれ挟む板状の部品であり、２枚の同じ大きさおよび形状のガラス板で構成されている。このカバー体１２２の厚さは、特に限定されないが１ｍｍ〜５ｍｍが好適である。
【００３２】
（建具１００の製造）
次に、このように構成した建具１００の製造過程について説明する。建具１００を製造する作業者は、まず、１つの骨組み１０１に対して２つの仕上げ材１０７および２つの引手１０６をそれぞれ用意する。次に、作業者は、骨組み１０１の２つの壁面にそれぞれ仕上げ材１０７を接着剤を用いて貼り付けるとともに、各仕上げ材１０７の外側から引手１０６をそれぞれ挿し込んでこれらの引手１０６を引手アンコ１０５にそれぞれ接着剤を用いて固定する。これにより、建具１００には、骨組み１０１の中央部に１つの骨組み１０１と２つの仕上げ材１０７とで構成される長方形状の貫通孔からなる装飾部１１１が形成される。
【００３３】
次に、作業者は、２つの装飾布１２０および１つの支持体１２１を用意する。この場合、作業者は、２つの着物地をそれぞれ支持体１２１と同じ形状に裁断して２つの装飾布１２０として用意する。そして、作業者は、２つの装飾布１２０を支持体１２１にそれぞれ貼り付ける。具体的には、作業者は、支持体１２１における一方の板面に接着剤を塗布して一方の装飾布１２０を貼り付けた後、支持体１２１における他方の板面に接着剤を塗布して他方の装飾布１２０を貼り付ける。これにより、１つの支持体１２１における表裏面にそれぞれ装飾布１２０が貼り付けられる。
【００３４】
次に、作業者は、一対の額縁半体１１２ａ，１１２ｂおよび２つのカバー体１２２をそれぞれ用意する。そして、作業者は、額縁半体１１２ａ（または額縁半体１１２ｂ）における内側面上に１つのカバー体１２２を配置した状態でこの額縁半体１１２ａ（または額縁半体１１２ｂ）を装飾部１１１における２つの開口部のうちの一方に挿し込む。この場合、作業者は、額縁半体１１２ａ（または額縁半体１１２ｂ）における内側挟持部１１５に接着剤を塗布してカバー体１２２を配置することにより額縁半体１１２ａ（または額縁半体１１２ｂ）とカバー体１２２とを接着固定してもよい。また、作業者は、額縁半体１１２ａ（または額縁半体１１２ｂ）の外側挟持部１１４に接着剤を塗布して額縁半体１１２ａ（または額縁半体１１２ｂ）を仕上げ材１０７に接着固定してもよい。
【００３５】
次いで、作業者は、装飾部１１１に挿し込んだ額縁半体１１２ａ（または額縁半体１１２ｂ）の内側面上に２つの装飾布１２０をそれぞれ貼り付けた支持体１２１およびもう１つのカバー体１２２を配置する。この場合、作業者は、支持体１２１に貼り付けた装飾布１２０の外縁部に接着剤を塗布して装飾布１２０を介して支持体１２１を２つのカバー体１２２にそれぞれ接着固定してもよい。
【００３６】
次いで、作業者は、額縁半体１１２ｂ（または額縁半体１１２ａ）における中間部１１３に接着剤を塗布した後、この額縁半体１１２ｂ（または額縁半体１１２ａ）を額縁半体１１２ａ（または額縁半体１１２ｂ）上に被せてホゾ１１３ａとホゾ穴１１３ｂとを嵌合させる。これにより、一対の額縁半体１１２ａ，１１２ｂは、装飾布１２０、支持体１２１およびカバー体１２２の各外縁部をそれぞれ内側挟持部１１５で挟むとともに、仕上げ材１０７を外側挟持部１１４で挟んだ状態で一体化することにより額縁１１２を形成する。すなわち、支持体１２１の表裏面にそれぞれ貼り付けられた装飾布１２０が、それぞれカバー体１２２で覆われた状態で建具１００の装飾部１１１内に設けられて建具１００の壁面の一部を構成する。
【００３７】
（建具１００の作動）
次に、このように構成した建具１００の作動について説明する。この建具１００は、住居内において部屋の内外の境界部分に設けられた敷居上に起立した状態で設けられる。そして、建具１００は、敷居上を摺動することによって部屋を閉じたり開放したりする。これらの場合において、装飾布１２０は、建具１００の意匠性や高級感を高める装飾として機能する。
【００３８】
上記作動説明からも理解できるように、上記実施形態によれば、建具１００は、両壁面に形成した貫通孔状の装飾部１１１内に着物地からなる装飾布１２０を設けて構成されているため、厚さの薄い建具１００においても意匠性や高級感を高めることができる。
【００３９】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４０】
例えば、上記実施形態においては、建具１００は、２つの壁面に装飾布１２０をそれぞれ配置して構成した。しかし、建具１００は、少なくとも一方の壁面に装飾布１２０を備えて構成されていればよい。したがって、建具１００は、２つの壁面のうちの一方の壁面にのみ装飾布１２０を設ける場合には、装飾部１１１を貫通孔ではなく、凹状に窪んだ有底の穴状に形成することもできる。この場合、建具１００は、１つの装飾布１２０を１つのカバー体１２２で凹状に形成した装飾部１１１内に配置、または１つの装飾布１２０を２つのカバー体１２２で挟んで貫通孔状の装飾部１１１内に配置することでより厚さの薄い建具１００を構成することができる。
【００４１】
また、上記実施形態においては、装飾布１２０を支持体１２１に貼り付けて装飾部１１１内に配置した。しかし、支持体１２１は省略することもできる。この場合、装飾布１２０は、１つの装飾布１２０または互いに背中合わせに重ねた２つの装飾布１２０を２つのカバー体で挟んだ状態で装飾部１１１内に配置することができる。
【００４２】
また、上記実施形態においては、建具１００は、壁面が木質材の引戸で構成した。しかし、建具１００は、室内同士または室内と屋外とを仕切る戸、ドア、襖、扉または障子で構成することができる。また、上記実施形態においては、建具１００は、組子１０４の表裏となる両壁面に板状の仕上げ材を貼り付ける所謂フラッシュ戸である。しかし、建具１００は、フラッシュ戸以外の構造、例えば、建具１００の板面を板状の無垢材や集成材で構成することもできる。
【００４３】
例えば、建具１００は、図６〜図８にそれぞれ示すように、障子で構成することができる。具体的には、建具１００は、骨組み１０１の内側領域における中央部に１つの中桟１０４ａを設けるとともに、この中桟１０４ａの表裏となる両面にそれぞれ複数（例えば、３つ）の中桟１０４ｂを上下方向に並べて配置した組子１０４を設けて構成されている。つまり、中桟１０４ｂは、建具１００の表側面および裏側面にそれぞれ複数ずつ（例えば、３つずつ）設けられており、表面側の中桟１０４ｂと裏面側の中桟１０４ｂとの間には所定の隙間が形成されている。
【００４４】
これにより、建具１００は、平面視（上面視）で中央に設けられた中桟１０４ａを境に左側領域および右側領域をそれぞれ備えている。そして、建具１００は、これらの左右の各領域内にそれぞれ表裏面を構成する２つのカバー体１２２で挟まれた状態の装飾布１２０が配置されて構成されている。この場合、左右それぞれ２つのカバー体１２２で挟まれた装飾布１２０は、上桟１０３ａに形成された長孔状の貫通孔である開口部１０８を介してそれぞれ出し入れされる。
【００４５】
これにより、建具１００は、表裏の中桟１０４ｂ間にそれぞれ装飾布１２０を配置して構成されて、従来の障子（組子１０４に障子紙を貼り付けた障子）とは異なる障子を構成することができる。なお、建具１００は、中桟１０４ａによって左側領域および右側領域を形成したが、中桟１０４ａを省略または中桟１０４ａを表面側および裏面側にそれぞれ設けて左側領域と右側領域とを一体的な一つの領域に形成して、この一つの領域内に１つまたは２つ以上の装飾布１２０（２つのカバー体１２２で挟まれた装飾布１２０）を設けるようにしてもよい。また、建具１００は、中桟１０４ａを３つ以上設けて３つの領域を形成して各領域に装飾布１２０（２つのカバー体１２２で挟まれた装飾布１２０）をそれぞれ設けるようにしてもよい。
【００４６】
また、上記実施形態においては、装飾布１２０は着物地で構成した。しかし、装飾布１２０は、布地で構成されていればよく、着物地以外の布地、例えば、織物、編み物（メリヤス生地）、レース、フェルトまたは不織布で構成することができる。また、装飾布１２０を構成する原糸も天然繊維（例えば、木綿、絹、麻、モヘヤ、ウールなど）、再生繊維（例えば、再生ポリエステル、アセテート、レーヨン）、合成繊維（例えば、ナイロン、ポリウレタン、ポリエステル）を用いることができる。
【００４７】
また、これらの場合、図６および図９（ａ）に示すように、装飾布１２０を光を透過させる程度の薄地または装飾部１１１の面積よりも小さい面積で構成するとともに、支持体１２１を省略または光を透過させる透明または半透明の板材で構成することにより、装飾布１２０を介して光を透過させたり意匠性の高い建具１００を構成することができる。図９（ａ）は、装飾布１２０を装飾部１１１の面積よりも小さい面積で構成するとともに、支持体１２１を省略または光を透過させる透明または半透明の板材で構成することにより、装飾布１２０の周囲および装飾布１２０自体を介して光を透過させる建具１００を示している。
【００４８】
また、上記実施形態においては、装飾布１２０は、古着で構成した。この場合、装飾布１２０を構成する古着としては、着物（和服）Ｋのほか、洋服、タオルまたはカーテンなどを構成する布地（皮革を含む）であってもよい。また、装飾布１２０は、古着ではなく、装飾布１２０として新規の縫製した布地であってもよい。
【００４９】
また、上記実施形態においては、建具１００は、装飾布１２０を額縁１１２を介して装飾部１１１内に取り付けて構成した。しかし、建具１００は、図６〜図８にそれぞれ示すように、装飾部１１１の内周部に直接カバー体１２２を着脱可能にまたは着脱不能に固定して装飾布１２０を配置して構成することもできる。
【００５０】
また、上記実施形態においては、建具１００は、装飾部１１１を建具１００の２つの壁面の各中央部に１つずつ設けて構成した。しかし、装飾部１１１を設ける位置および数は、上記実施形態に限定されるものではなく、使用者の好みに応じて自由に設定することができる。したがって、装飾部１１１は、例えば、図９（ａ）に示すように、建具１００の壁面における上部中央部に１つだけ設けてよいし、図９（ｂ）に示すように、建具１００の壁面における中央部の上下方向に複数並べて設けてもよい。また、装飾部１１１は、例えば、図９（ｃ）に示すように、建具１００の壁面における左右方向に偏った位置（図において左側）に上下方向に延びて１つだけ設けてもよいし、図９（ｄ）に示すように、建具１００の壁面における左右方向に均等な位置に上下方向に延びて複数設けてもよい。
【００５１】
また、装飾部１１１の形状についても長方形や正方形などの方形以外の形状、例えば、三角形や六角形などの多角形のほか、円、楕円、またはこれらを組み合わせた異形形状に形成することができる。図１０（ａ）には、装飾部１１１を円形に形成した例を示している。また、図１０（ｂ）には、装飾部１１１を２つの円形状を曲線で繋いだ異形形状に形成した例を示している。なお、図９（ａ）〜（ｄ）および図１０（ａ），（ｂ）に示した建具１００においては、縦框１０２ａ，１０２ｂ、上桟１０３ａおよび下桟１０３ｂが仕上げ材１０７によって覆われた引戸で構成されている。
【符号の説明】
【００５２】
Ｋ…着物、
１００…建具、１０１…骨組み、１０２ａ，１０２ｂ…縦框、１０３ａ…上桟、１０３ｂ…下桟、１０４…組子、１０４ａ，１０４ｂ…中桟、１０５…引手アンコ、１０６…引手、１０７…仕上げ材、１０８…開口部、
１１１…装飾部、１１２…額縁、１１２ａ，１１２ｂ…額縁半体、１１３…中間部、１１３ａ…ホゾ、１１３ｂ…ホゾ穴、１１４…外側挟持部、１１５…内側挟持部、
１２０…装飾布、１２１…支持体、１２２…カバー体。
【図１】
2017078312.tif 000003
【図２】
2017078312.tif 000004
【図３】
2017078312.tif 000005
【図４】
2017078312.tif 000006
【図５】
2017078312.tif 000007
【図６】
2017078312.tif 000008
【図７】
2017078312.tif 000009
【図８】
2017078312.tif 000010
【図９】
2017078312.tif 000011
【図１０】
2017078312.tif 000012